(57)【要約】【課題】第１の走査線上の表示が不鮮明にならない、かつ、静電破壊が防止された液晶表示装置を提供する。【解決手段】第１基板３と、第２基板４と、両基板３，４間に設けられた液晶５とを備え、第１基板３上において、行列状に配置された第１から第Ｎ（Ｎは２以上の整数）までの走査線ｇ１〜ｇ６００および複数の信号線ｓ１〜ｓ２４００と、第１の走査線ｇ１に沿ってその外側近傍に設けられたダミー線１５と、第１の走査線ｇ１と各信号線ｓ１〜ｓ２４００とに接続された各スイッチング素子２５と、各スイッチング素子２５とダミー線１５との間に接続された各補助コンデンサ２６と、各走査線ｇ１〜ｇ６００を駆動する走査駆動部３１ａ，３１ｂと、各信号線ｓ１〜ｓ２４００を駆動する信号駆動部３０ａ〜３０ｅとを備え、走査駆動部３１ａ，３１ｂは走査時において、ダミー線１５に対して非選択時駆動電圧以下の電圧を常時、出力する。【選択図】図２
2007171737.tif 000002
【特許請求の範囲】
【請求項１】
第１基板と、第２基板と、両基板間に設けられた液晶を備え、前記第１基板上において、行列状に配置された第１から第Ｎ（Ｎは２以上の整数）までの走査線および複数の信号線と、前記第１の走査線に沿って、その外側近傍に設けられたダミー線と、前記第１の走査線と各信号線とに接続された各スイッチング素子と、各スイッチング素子と前記ダミー線との間に接続された各補助コンデンサと、各走査線を駆動する走査駆動部と、各信号線を駆動する信号駆動部とを備え、前記走査駆動部は走査時において、前記ダミー線に対して非選択時駆動電圧以下の電圧を常時、出力する事を特徴とする液晶表示装置。
【請求項２】
各走査線と各信号線との交点近傍に各画素電極が設けられ、各スイッチング素子は、各走査線と各信号線と各画素電極に接続され、各補助コンデンサは、各画素電極と前記ダミー線との間に接続され、および、各画素電極と各走査線との間に接続された事を特徴とする請求項１の液晶表示装置。
【請求項３】
前記第２基板の裏面に共通電極が設けられ、前記第１基板上に配置され、前記共通電極に接続された共通配線が設けられ、前記共通配線と前記ダミー線との間に、静電破壊防止素子が設けられた事を特徴とする請求項１の液晶表示装置。
【発明の詳細な説明】
【技術分野】
【０００１】
本発明は、液晶表示装置に関する。
【背景技術】
【０００２】
従来、この種の装置は例えば特許文献１に示されている。この特許文献１によると、走査用基板２と信号用基板３とはシール部４により、貼り合わせされている。第１の走査線６の外側近傍に、ダミーパターン１２が設けられている。
【特許文献１】特開２００１−１２５１２４号公報
【発明の開示】
【発明が解決しようとする課題】
【０００３】
上記装置では、ダミーパターン１２が設けられているが、静電破壊防止対策が取られていない、第１の欠点がある。この欠点を解消するために、本発明者は、図４に示され、改良された液晶パネルを製造した。図４において、第１基板１０１上に走査線Ｇ１〜Ｇ６００と、信号線Ｓ１〜Ｓ２４００とが行列状に配置されている。走査線Ｇ１の外側に、共通配線１０２が設けられている。
【０００４】
図４の紙面に対し、上方に第２基板（図示せず）が設けられ、第１基板１０１と第２基板との間に、液晶１０１ａが設けられている。共通配線１０２は共通端子１０３を介して共通電極（例えば、直流３．４ボルト）が印加されている。走査線Ｇ１〜Ｇ６００および信号線Ｓ１〜Ｓ２４００は、静電破壊防止対策１０６を介して共通配線１０２に接続されている。この様に、静電破壊防止対策がなされている。
【０００５】
また、走査線Ｇ１と各信号線Ｓ１〜Ｓ２４００との間に、各スイッチング素子１０４が接続されている。各スイッチング素子１０４と共通配線１０２との間に、補助コンデンサ１０５が設けられている。しかし、この液晶パネル１００では、第１の走査線Ｇ１上の表示が不鮮明である、第２の欠点がある。本発明者がその原因を究明したところ、第１の走査線Ｇ１に選択時駆動電圧が印加され、信号線Ｓ１〜Ｓ２４００から、諧調電圧が、液晶１０１ａおよび補助コンデンサ１０５に書き込まれる。
【０００６】
その後に、第１の走査線Ｇ１に非選択時駆動電圧（例えば、−１０ボルト）が印加される。そして、補助コンデンサ１０５には、電圧Ｖ１が印加され、充電されている。信号線Ｓ１〜Ｓ２４００に出力される諧調電圧は通常、０〜１０ボルトである。従って、電圧Ｖ１＝諧調電圧−共通電圧＝−３．４〜６．６ボルトと、小さい。
【０００７】
この非選択時に、スイッチング素子１０４の漏れ電流（例えば、ドレインからゲートに漏れる）により、補助コンデンサ１０５の充電電圧は徐々に小さくなる。そのため、第１の走査線Ｇ１上の表示が不鮮明になる事が分かった。そこで、本発明は、この様な従来の欠点を考慮し、第１の走査線上の表示が不鮮明にならない、静電破壊が防止された、液晶表示装置を提供する。
【課題を解決するための手段】
【０００８】
上記課題を解決するために、請求項１の本発明では、第１基板と、第２基板と、両基板間に設けられた液晶とを備え、前記第１基板上において、行列状に配置された第１から第Ｎ（Ｎは２以上の整数）までの走査線および複数の信号線と、前記第１の走査線に沿って、その外側近傍に設けられたダミー線と、前記第１の走査線と各信号線とに接続された各スイッチング素子と、各スイッチング素子と前記ダミー線との間に接続された各補助コンデンサと、各走査線を駆動する走査駆動部と、各信号線を駆動する信号駆動部とを備え、前記走査駆動部は走査時において、前記ダミー線に対して非選択時駆動電圧以下の電圧を常時、出力する。
【０００９】
請求項２の本発明では、各走査線と各信号線との交点近傍に各画素電極が設けられ、各スイッチング素子は、各走査線と各信号線と各画素電極に接続され、各補助コンデンサは、各画素電極と前記ダミー線との間に接続され、および、各画素電極と各走査線との間に接続された。
【００１０】
請求項３の本発明では、前記第２基板の裏面に共通電極が設けられ、前記第１基板上に配置され、前記共通電極に接続された共通配線が設けられ、前記共通配線と前記ダミー線との間に、静電破壊防止素子が設けられた。
【発明の効果】
【００１１】
請求項１の様に、走査駆動部は走査時において、ダミー線に対して、非選択時駆動電圧以下の電圧を常時、出力する。その結果、第１走査線が非選択時に、ダミー線に接続される各補助コンデンサの充電電圧Ｖ２は、Ｖ２＝信号駆動部の出力（諧調電圧）−（ダミー線に印加される電圧）となる。それ故に、ＶＩ（改良された液晶パネルにおける、各補助コンデンサの充電電圧）に比べ、Ｖ２は極めて大きくなる。その結果、各補助コンデンサが少しずつ放電しても、１フレーム間において、電圧Ｖ２は十分に大きいので、第１の走査線上の表示が不鮮明になることが防止される。
【００１２】
また、走査駆動部は非選択時駆動電圧を出力する。そして、ダミー線への印加電圧が非選択時駆動電圧と等しい場合、上記印加電圧として、走査駆動部の出力をそのまま利用できる。そして、ダミー線への印加電圧が非選択時駆動電圧より小さい場合、走査駆動部に所定の抵抗等を設けることにより、上記抵抗を介した走査駆動部の出力を、上記印加電圧として利用できる。この様に、簡単な構成により、ダミー線に対して、非選択時駆動電圧以下の電圧を常時、出力することができる。
【００１３】
請求項２の様に、ダミー線と、第１の走査線との間にも、各画素電極を設けることにより、この電極は、ダミー電極として機能する。即ち、ダミー線を介して、静電気が突入しても、このダミー画素電極が破壊するので、各スイッチ素子を介して、第２〜第Ｎの走査線に接続された画素電極が破壊されることを防止できる。
【００１４】
請求項３の様に、共通電極に接続された共通配線と、ダミー線との間に静電破壊防止素子が設けられている。その結果、共通配線に静電気が印加されても、静電気による電流は共通電極に流れる。その結果、静電気が生じた時、共通配線に接続された各補助コンデンサと、各スイッチング素子が破壊されることを防止できる。
【発明を実施するための最良の形態】
【００１５】
以下、本発明を実施するための最良の形態を実施例及び図面を用いて詳細に説明するが以下に述べた実施例は、本発明の技術思想を具体化するための液晶表示装置を例示するものであって、本発明をこの実施例に特定することを意図するものではなく、本発明は特許請求の範囲に示した技術思想を逸脱することなく種々の変更を行ったものにも均しく適用し得るものである。
【実施例】
【００１６】
以下に、図１ないし図３に従い、本実施例に係る液晶表示装置１を説明する。図１は、液晶表示装置１のブロック図である。図２は液晶表示装置１に用いられる液晶パネルの電気回路図である。図３は、液晶表示装置１に用いられる液晶パネルの部分断面図である。
【００１７】
図３において、液晶パネル２は、第１基板３と、第２基板４と、両基板３，４間に設けられた液晶５等を有している。第１基板３および第２基板４は、例えばガラス基板等からなる。液晶５を封止するために、シール剤６が形成されている。
【００１８】
第１基板３上には、所定のパターンを有する配線７と、ドレイン電極８が形成されている。配線７およびドレイン電極８を覆う様に、絶縁層９が形成されている。
【００１９】
各画素電極１０は、各ドレイン電極と導通する様に、絶縁層９上に形成されている。各画素電極を覆う様に、配向膜１１が形成されている。
【００２０】
第２基板４の背面には、ブラックマトリクス１２と、カラーフィルタ層１３が形成されている。カラーフィルタ層１３は例えば、Ｒ，Ｇ，Ｂの各フィルタがストライプ状に順に繰り返し、形成されたものである。
【００２１】
ブラックマトリクス１２およびカラーフィルタ層１３を覆う様に、共通電極１４が形成されている。共通電極１４を覆う様に、配向膜１１が形成されている。
【００２２】
図２に示す様に、第１基板３上において、行列状に、第１から第Ｎ（Ｎは２以上の整数で、例えば、Ｎ＝６００）までの走査線ｇ１〜ｇ６００と、複数の信号線ｓ１〜ｓ２４００が形成されている。
【００２３】
走査線ｇ１〜ｇ６００の左端は各々、端子Ｇ１〜Ｇ６００に接続されている。信号線ｓ１〜ｓ２４００の下端は各々、端子Ｓ１〜Ｓ２４００に接続されている。
【００２４】
ダミー線１５は、第１の走査線ｇ１に沿って、その外側近傍に形成されている。ダミー線１５の左端は端子Ｄに接続されている。共通端子１６は、第１基板３上に形成されている。
【００２５】
共通配線１７の左端は共通端子１６に接続され、右端は、金等からなる接続部１８を介して、第２基板４の背面に設けられた共通電極１４に接続されている。
【００２６】
共通配線１９の下端は接続部１８に接続され、上端は接続部（金等からなる）に接続されている。共通配線２１の左端は接続部（金等からなる）２０に接続され、左端は接続部２２（金等からなる）に接続されている。
【００２７】
共通配線２３の右端は共通配線１９に接続され、左端は静電破壊防止素子２４に接続されている。即ち、共通配線１９、２３は第１基板３上に配置され、共通電極１４に接続されている。共通配線１９，２３と、ダミー線１５との間に、静電破壊防止素子２４が形成されている。
【００２８】
同様に、共通配線１９と、各走査線ｇ１〜ｇ６００との間に各々、静電破壊防止素子２４が形成されている。
【００２９】
更に、共通電極１４に接続された共通配線２１と、各信号線ｓ１〜ｓ２４００との間に静電破壊防止素子２４が形成されている。
【００３０】
次に、図２に示したダミー線１５および第１の走査線ｇ１の周辺について説明する。各スイッチング素子２５は、第１の走査線ｇ１と、各信号線ｓ１〜ｓ２４００に接続されている。
【００３１】
各スイッチング素子２５は例えば、ＴＦＴ（薄膜トランンジスタ）等からなる。各スイッチング素子２５のソースは、各信号線ｓ１〜ｓ２４００に接続されている。各スイッチング素子２５のゲートは、第１の走査線ｇ１に接続されている。
【００３２】
各スイッチング素子２５のドレインは、液晶５の一側（図３では、液晶５の下側）に接続されている。液晶５の他側（図３では、液晶５の上側）は、共通電極１４に接続されている。
【００３３】
各補助コンデンサ２６は、各スイッチング素子２５と、ダミー線１５との間に接続されている。即ち、各補助コンデンサ２６の一側は、スイッチング素子２５のドレインに接続され、他側はダミー線１５に接続されている。上記説明では、画素電極１０は形成されていない。
【００３４】
次に、走査線ｇ２〜ｇ６００の周辺について述べる。各画素電極１０は、各走査線ｇ２〜ｇ６００と、各信号線ｓ１〜ｓ２４００の交点近傍に設けられている。
【００３５】
各スイッチング素子２５は、各画素電極１０と、各走査線ｇ２〜ｇ６００と、各信号線ｓ１〜ｓ２４００とに、各々、接続されている。
【００３６】
各補助コンデンサ２６は各画素電極１０と、各走査線ｇ１〜ｇ６００との間に接続されている。
【００３７】
上記説明と異なり、必要に応じて、第１の走査線ｇ１と、各信号線ｓ１〜ｓ２４００との交点近傍に、各画素電極１０が設けられても良い。この時、各補助コンデンサ２６は、各画素電極１０と、ダミー線１５との間に接続されている。
【００３８】
以下の説明は、第１の走査線ｇ１と、ダミー線１５との間に、画素電極１０が形成されていない例について説明する。上記部品により、液晶パネル２は構成されている。
【００３９】
次に、図１に従い、この液晶パネル２を用いた液晶表示装置１を説明する。液晶表示装置１は、液晶パネル２と、制御回路２７と、電源供給回路２８と、ガンマ回路２９と、複数個（例えば５個）の信号駆動部３０ａ，３０ｂ，３０ｃ，３０ｄ，３０ｅと、複数個（例えば２個）の走査駆動部３１ａ，３１ｂ等から構成されている。
【００４０】
制御回路２７は、入力インターフェース（図示せず）を介して、コンピュータ、テレビジョン装置、ビデオ再生装置、ＤＶＤ再生装置（共に図示せず）等から送られてきたデータイネーブル信号ＤＥが入力される。
【００４１】
また、制御回路２７は、上記装置等から送られてきた、例えば、ＲＧＢ各８ビットの画像データＩＲＤ，ＩＧＤ，ＩＢＤが入力される。制御回路１２は、ドットクロック信号ＤＯＴＣＬＫ、垂直同期信号ＶＳＹＮＣ，水平同期信号ＨＳＹＮＣが入力される。
【００４２】
制御回路２７は、上記入力信号を信号処理し、信号駆動部３０ａ〜３０ｅに対し、表示データＯＲＤ，ＯＧＤ，ＯＢＤ、極性反転信号ＰＯＬ，ストローブ信号ＳＴＲＢ，クロック信号ＣＬＫ等を出力する。
【００４３】
また、制御回路２７は垂直クロック信号ＣＰＶを、走査駆動部３１ａ，３１ｂに対し、出力する。制御回路２７は走査駆動部３１ａ，３１ｂに対し、フレーム信号ＦＬＭを出力する。
【００４４】
更に、制御回路２７は電源供給回路２８に対し、各部品への電源供給順序を示す制御信号ＣＯＮＴを出力する。この様に、制御回路２７は、電源供給回路２８と、走査駆動部３１ａ、３１ｂと、信号駆動部３０ａから３０ｅに対し、各種信号を出力する。
【００４５】
電源供給回路２８は、入力された直流電圧ＶＩＮ（例えば、１２ボルト）を基に、各部品に対し、適正な直流電圧を出力する。具体的には、電源供給回路２８は、ガンマ回路２９に対し、第１電圧ＶＧＥＮ（例えば、５ボルト）を出力する。
【００４６】
電源供給回路２８は、制御回路２７と、信号駆動部３０ａ〜３０ｅの各ロジック部（図示せず）と、走査駆動部３１ａ，３１ｂの各ロジック部（図示せず）に対し、各々、駆動用電圧ＶＤＤ（例えば、３．３ボルト）を出力する。
【００４７】
電源供給回路２８は、信号駆動部３０ａ〜３０ｅが有する各出力部（図示せず）に対して、第１電圧ＶＧＥＮを出力する。
【００４８】
電源供給回路１３は、走査駆動部３１ａ，３１ｂが有する各出力部（図示せず）に対して、第２電圧ＶＧＨ（例えば、直流１０ボルト）と、第３電圧ＶＧＬ（例えば、−１５ボルト）を出力する。
【００４９】
ガンマ回路２９は、電源供給回路２８から出力された第１電圧ＶＧＥＮと、接地電圧（図示せず）を抵抗分圧することにより、各信号駆動部３０ａ〜３０ｅに対し、ガンマ補正電圧ＶＧＭ１〜ＶＧＭ１０を出力する。
【００５０】
各信号駆動部３０ａ〜３０ｅは、ガンマ補正電圧ＶＧＭ１〜ＶＧＭ１０を、内蔵されたＤ／Ａ変換器（図示せず）の基準電圧として利用する。
【００５１】
その結果、各信号駆動部３０ａ〜３０ｅは、入力された表示データＯＲＤ，ＯＧＤ，ＯＢＤをアナログ変換し、内蔵する出力部を介して、各信号線ｓ１〜ｓ２４００に対し、上記アナログ変換された諧調電圧（例えば、直流０〜１０ボルト）を出力する。また、電源供給回路２８は、電源ＩＣ３２を有している。
【００５２】
上述した様に、信号駆動部３０ａ〜３０ｅは、各信号線ｓ１〜ｓ２４００を駆動する。即ち、信号駆動部３０ａ〜３０ｅは、各信号線ｓ１〜ｓ２４００に対し、表示データＯＲＤ，ＯＧＤ，ＯＢＤに従う諧調電圧を出力する。
【００５３】
また、走査駆動部３１ａ，３１ｂは、各走査線ｇ１〜ｇ６００を駆動する。即ち、走査駆動部３１ａ，３１ｂは最初に、走査線ｇ１に対し、選択時駆動電圧（例えば、直流１０ボルト）を出力し、各走査線ｇ２〜ｇ６００に対し、非選択時駆動電圧（例えば、直流−１０ボルト）を出力する。
【００５４】
次に、走査駆動部３１ａ，３１ｂは、走査線ｇ２に対し、選択時駆動電圧を出力し、走査線ｇ１，ｇ３〜ｇ６００に対し、非選択時駆動電圧を出力する。この様にして、同様の動作を繰り返す。
【００５５】
即ち、走査駆動部３１ａ，３１ｂは、各走査線ｇ１〜ｇ６００に対し、順に、１本ずつ走査する。この様にして、走査駆動部３１ａ，３１ｂは、第１フレームの走査を終了する。同様にして、走査駆動部３１ａ，３１ｂは、第２フレーム〜第ｎフレームの走査を行う。
【００５６】
また、走査駆動部３１ａは、上記走査時において、ダミー線１５に対して、非選択時駆動電圧以下の電圧を常時、出力する。以上の部品にて、この液晶表示装置１は構成されている。
【００５７】
次に、図１ないし図３に従い、この液晶表示装置１の特徴的な動作を説明する。上述した様に、走査駆動部３１ａは走査時において、ダミー線１５に対して、非選択時駆動電圧以下の電圧を常時、出力する。以下の説明では、例えば、非選択時駆動電圧（例えば、−１０ボルト）が出力されているとする。
【００５８】
最初に、走査駆動部３１ａ，３１ｂは、走査線ｇ１に対し、選択時駆動電圧を出力し、走査線ｇ２〜ｇ６００に対し、非選択時駆動電圧を出力する。
【００５９】
この時、信号駆動部３０ａ〜３０ｅは、各信号線ｓ１〜ｓ２４００に対し、各々、諧調電圧を出力する。この時、第１の走査線ｇ１に接続された各スイッチング素子２５はオンし、液晶５および各補助コンデンサ２６には、上記諧調電圧が書き込まれる。
【００６０】
次に、走査線ｇ２に対し、選択時駆動電圧が出力され、走査線ｇ１，ｇ３〜ｇ６００に対して、非選択時駆動電圧が出力される。この時、各スイッチング素子２５を介して、第１の走査線ｇ１に接続された各補助コンデンサ２６には、電圧Ｖ２が印加され、充電されている。
【００６１】
例えば、諧調電圧を０〜１０ボルトとすれば、電圧Ｖ２＝諧調電圧−（ダミー線１５に印加される電圧）＝１０〜２０ボルトとなる。その結果、Ｖ２＞Ｖ１となる。但し、Ｖ１は上述した様に、改良された例において、第１の走査線Ｇ１に接続された各補助コンデンサ１０５に印加される電圧である。
【００６２】
この様に、上記電圧Ｖ２は、改良例に比べ、極めて大きい。この様に、第１走査線ｇ１が非選択時に、スイッチング素子２５の漏れ電流により、補助コンデンサ２６の充電電圧は徐々に小さくなる。しかし、最初の充電時の電圧Ｖ２が十分大きいので、少しずつ放電しても、１フレーム間において、電圧Ｖ２は十分に、大きい値を維持される。その結果、第１の走査線ｇ１上の表示が不鮮明になることが防止される。
【図面の簡単な説明】
【００６３】
【図１】本発明の実施例に係る液晶表示装置１のブロック図である。
【図２】液晶表示装置１に用いられる液晶パネル２の電気回路図である。
【図３】液晶パネル２の部分断面図である。
【図４】従来例を改良した液晶パネルの電気回路図である。
【符号の説明】
【００６４】
３  第１基板
４  第２基板
５  液晶
ｇ１〜ｇ６００  走査線
ｓ１〜ｓ２４００  信号線
１５  ダミー線
２５  スイッチング素子
２６  補助コンデンサ
３０ａ〜３０ｅ  信号駆動部
３１ａ，３１ｂ  走査駆動部
【図１】
2007171737.tif 000003
【図２】
2007171737.tif 000004
【図３】
2007171737.tif 000005
【図４】
2007171737.tif 000006